(57)【特許請求の範囲】
【請求項１】
パチンコ球が貯留される皿部の底壁に球抜き孔を開設し、該底壁の裏側に支持枠を取り付けると共に、該支持枠に水平方向へ自在に摺動して常に球抜き孔を閉塞するように付勢されるシャッター板を設けたパチンコ機における下部球受皿の球抜き装置において、
前記シャッター板に透孔を開設し、支持枠にパチンコ球を一時保持する球保持部を設け、また皿部の底壁には球抜き孔が閉塞された位置でシャッター板によって閉塞され、かつ球抜き孔が開放されることにより前記透孔を介してパチンコ球を皿部の内側から球保持部へ落し込むための落下口を設け、球抜き孔が開放された位置で球保持部に落下したパチンコ球をシャッター板と球保持部との間で圧着し、同時に該パチンコ球によりシャッター板を皿部の底壁裏面側へ押圧して停止保持するようにしたことを特徴とするパチンコ機における下部球受皿の球抜き装置。
【請求項２】
シャッター板の裏側に、球抜き孔が開設された位置で球保持部に落下したパチンコ球をその上方から押圧する弾性片を設けた請求項１記載のパチンコ機における下部球受皿の球抜き装置。
【請求項３】
弾性片の先端裏側に球保持部に落下したパチンコ球を掻き出すための爪部を突設した請求項２記載のパチンコ機における下部球受皿の球抜き装置。
【請求項４】
球保持部の底面にパチンコ球の停止保持を確実にさせるための浅窪部を形成した請求項１，２又は請求項３記載のパチンコ機における下部球受皿の球抜き装置。
【請求項５】
シャッター板の裏側に、球抜き孔が閉塞された位置で球保持部に保持されるパチンコ球を外部へ押し出す押出リブを突設した請求項１，２，３又は４記載のパチンコ機における下部球受皿の球抜き装置。
【発明の詳細な説明】
【０００１】
【産業上の利用分野】
本発明は、遊技中のパチンコ球を利用してシャッター板を球抜き孔が開放される位置に停止保持できるようにしたパチンコ機における下部球受皿の球抜き装置に関するものである。
【０００２】
【従来の技術】
従来、この種の下部球受皿の球抜き装置であって、遊技中のパチンコ球を利用し球抜き孔を開放する位置で、シャッター板を停止保持させるようにしたものが、例えば特開平２−１５４７７６号公報に記載の如く知られている。
この公報に記載のものは、下皿の前方下縁に水平方向に沿って案内縁を形成すると共に、下皿に開設された排出口を閉止する方向にスプリングにより付勢された摺動蓋と、該摺動蓋を摺動可能に支持する蓋枠部材と、摺動蓋を操作する摺動レバーとからなるスライド蓋機構を設け、摺動レバーと摺動蓋との間に下皿の案内縁に嵌入する受溝を形成し、また案内縁にはパチンコ球が嵌入可能な凹陥部を設け、摺動蓋を摺動させて排出口を開放したときに凹陥部にパチンコ球を嵌入させ、このパチンコ球に摺動蓋の摺動レバーの前端面を当接させることにより摺動蓋を停止保持するようにしており、しかもこの球を摺動レバーに埋設した磁石に吸着させてその位置を安定させている。
【０００３】
【発明が解決しようとする課題】
このように前記公報に記載のものは、球を嵌入させる凹陥部が小さく、しかも下皿の外部に露出させて設けられており、パチンコ球を指先で持って凹陥部へ嵌入し、摺動レバーの前端面をパチンコ球に当接させるようにしているので、凹陥部へ嵌入した時又は摺動レバーに無用な衝撃が加った時にパチンコ球が外れるなどして落ち易かった。しかも、一方の手で摺動レバーを引いた状態で他方の手でパチンコ球を扱うなど両手を使わねばならないので、操作ハンドルを操作することができず、遊技中、すなわち操作ハンドルを持ったままで前記摺動蓋を開放した位置に停止保持することは困難であり、不都合を生じていた。
そこで本発明は、このような従来の課題を解決すべくなされたもので、皿部の内側からパチンコ球を落し込むようにして、パチンコ球が外れて落ちるのを防ぎ、しかも球抜き孔が開放された位置でのシャッター板の停止保持を片手のワンタッチ操作でできるようにしたパチンコ機における下部球受皿の球抜き装置を提供することを目的とするものである。
【０００４】
【課題を解決するための手段】
上記目的を達成するため本発明は、パチンコ球が貯留される皿部の底壁に球抜き孔を開設し、該底壁の裏側に支持枠を取り付けると共に、該支持枠に水平方向へ自在に摺動して常に球抜き孔を閉塞するように付勢されるシャッター板を設けたパチンコ機における下部球受皿の球抜き装置において、前記シャッター板に透孔を開設し、支持枠にパチンコ球を一時保持する球保持部を設け、また皿部の底壁には球抜き孔が閉塞された位置でシャッター板によって閉塞され、かつ球抜き孔が開放されることにより前記透孔を介してパチンコ球を皿部の内側から球保持部へ落し込むための落下口を設け、球抜き孔が開放された位置で球保持部に落下したパチンコ球をシャッター板と球保持部との間で圧着し、同時に該パチンコ球によりシャッター板を皿部の底壁裏面側へ押圧して停止保持するようにしたものである。
【０００５】
【作用】
シャッター板が球抜き孔を閉塞した位置では、皿部底壁の落下口は同じくシャッター板により閉塞されており、該落下口内に入ったパチンコ球はシャッター板上面に載っている。そこで、球抜き孔を開放するべくシャッター板を摺動することにより透孔が落下口と連通して、該透孔を介して前記パチンコ球が球保持部へ落し込まれる。そして、球抜き孔が開放された位置で、球保持部に落下したパチンコ球をシャッター板と球保持部との間で圧着し、同時に該パチンコ球によりシャッター板を皿部の底壁裏面側へ押圧して停止保持する。
【０００６】
【実施例】
以下に本発明に係る下部球受皿の球抜き装置の一実施例を図面と共に説明する。図１はパチンコ機の正面図であり、図において１は機枠、２は機枠１の前面に開閉自在に装着される前面枠で、その前面にはガラス扉枠３とその下方の前板４とがそれぞれ開閉自在に装着される。前記ガラス扉枠３の後方には遊技盤５が配置され、該遊技盤５の表面にガイドレール６が敷設されている。また、前記前板４の前面には打球供給皿７が取り付けられ、前面枠２の前面下部には操作ハンドル８と下部球受皿９が取り付けられている。
【０００７】
図２は下部球受皿９の斜視図、図３は同球抜き装置を分解して示す斜視図、図４は同平面図をそれぞれ示す。下部球受皿９は取付基板１０の前面に皿部１１が装着されており、該皿部１１に取付基板１０に開設された余剰球排出用の排出口１２と連なる球貯留部１３が設けられている。また、該球貯留部１３の底壁１４には図４に示すよう円形の球抜き孔１５が開設されている。
【０００８】
１６は底壁１４の裏側にビスＰを介して取付けられ、上面が開放し且つ平面長方形をなす箱枠状の支持枠であり、一側に球抜き孔１５に連通する円形の通孔１７が開設されている。１８は皿部１１の底壁１４と支持枠１６との間で水平方向へ摺動自在に介装され、球抜き孔１５を開閉させるシャッター板であり、該シャッター板１８は支持枠１６に装填させたコイルスプリング１９の付勢で常に球抜き孔１５を閉塞させるようにしてあり、前側に支持枠１６から前方へ突出する操作レバー２０が設けられている。
【０００９】
しかして、前記シャッター板１８にはパチンコ球が一個通過し得る程度の幅を有する横長の透孔２１が開設されており、また支持枠１６には前記透孔２１に対応位置して球送出通路２２が形成されている。該球送出通路２２の一側端にパチンコ球を一時保持する水平な球保持部２３が設けられ、他側端に前記パチンコ球を外部へ排出するための排出口２４が設けられており、その間は上面が排出口２４側へ下傾する緩斜面に形成してある。
【００１０】
また、皿部１１の底壁１４には、球抜き孔１５が開放されることにより前記透孔２１と連通してパチンコ球を皿部１１の内側から球保持部２３へ落し込むための落下口２５が設けられている。ところで、前記シャッター板１８の下面と球保持部２３の上面とは、その間に送り込まれたパチンコ球によりシャッター板１８を皿部１１の底壁１４裏面側へ押圧して停止保持させるようにその間隔が選ばれる。このため、シャッター板１８は上下方向に僅かのガタが生ずるようにしてある。
【００１１】
本発明に係る下部球受皿の球抜き装置は上記構成からなり、シャッター板１８が球抜き孔１５を閉塞した位置では、図６（ａ），図７実線に示すように皿部１１の底壁１４の落下口２５は同じくシャッター板１８により閉塞されており、該落下口２５内に入ったパチンコ球は図５に示すようにシャッター板１８上面に載っている。この状態で球抜き孔１５を開放するべくシャッター板１８を図６（ｂ）に示すように摺動すると、透孔２１が落下口２５と連通して、該透孔２１を介して前記パチンコ球が球保持部２３へ落し込まれる。そして、球抜き孔１５が開放された位置で、図６（ｃ），図７鎖線に示すように球保持部２３に落下したパチンコ球をシャッター板１８と球保持部２３との間で圧着し、同時に該パチンコ球によりシャッター板１８を皿部１１の底壁１４裏面側へ押圧して停止保持する。なお、前記透孔２１の一側縁はパチンコ球に当ることから、シャッター板１８がスムーズに摺動できるようテーパー面に形成されている。
【００１２】
このように球抜き孔１５を開放し続けているシャッター板１８を元の位置に戻すには、図６（ｄ）に示すようにシャッター板１８を戻すことにより、シャッター板１８と球保持部２３との間で圧着されているパチンコ球が、シャッター板１８の移動に伴ない球保持部２３から球送出通路２２へ移動し、排出口２４から外部へ落下する。一方、パチンコ球によるロック状態から開放されたシャッター板１８はコイルスプリング１９の付勢によって、図６（ａ），図７の実線に示す位置に復帰して球抜き孔１５と落下口２５を閉塞する。
【００１３】
図８（ａ）は、他の実施例に係るシャッター板１８ａを示し、その裏側に球抜き孔１５が開放された位置で、球保持部２３に落下したパチンコ球をその上方から圧接する弾性片２６を設けた構成からなり、パチンコ球の上面に圧接させる際の動作がスムーズに行なえ、操作レバー２０の動きも比較的円滑になし得る。しかも、圧接様態は弾発力によつて確実且つ強固に持続される。また、これにより、本実施例のようなシャッター板１８の動作時に生ずる損耗も防止される。
【００１４】
図８（ｂ）は、他の実施例に係るシャッター板１８ｂを示し、図９に示すように前記弾性片２６の先端裏側に三角形状の爪部２７が設けられている。該爪部２７は、シャッター板１８ｂが球抜き孔１５を開放した位置では、球保持部２３のパチンコ球を乗り越えているので、シャッター板１８ｂが元の位置に戻るときに爪部２７がそのパチンコ球を掻き出す働きをし、パチンコの外部への排出が確実に行なえる。また、爪部２７がパチンコ球を乗り越えた直後、すなわちパチンコ球から爪部２７が外れた時に、弾性片２６がその復元力によりパチンコ球に当って衝撃音を発する。これにより、遊技者は操作レバー２０を介して衝撃が手に伝わりシャッター板１８ｂが停止保持されたことを容易に確認できる。
【００１５】
図１０は、他の実施例に係る支持枠１６ａの断面図を示し、球保持部２３の上面に球送出通路２２と直交する溝状の浅窪部２８が設けられている。このように、パチンコ球が嵌り込む浅窪部２８を設けることにより、球保持部２３に落下したパチンコ球が、シャッター板１８が摺動して球抜き孔１５が開放される前に外部へ排出されてしまうのを防止している。なお、浅窪部２８の形状は溝状に限らず他の形状であっても良い。また、この場合は、逆にパチンコ球が出にくいことから、前記爪部２７を有する弾性片２６か、後記する押出リブ２９を設けたシャッター板１８ｂ，１８ｃを用いると良い。
【００１６】
図１１は、他の実施例を示すシャッター板１８ｃであり、その裏側に透孔２１の一側端縁から外方へ突出する押出リブ２９が設けられている。この押出リブ２９は球抜き孔１５が閉塞された位置では、球保持部２３を通過する位置に有り、これにより球保持部２３に保持されるパチンコ球を外部へ確実に押し出すことができる。しかも、球抜き孔１５を閉塞する途中で透孔２１を介して球保持部２３に落下するパチンコ球も押し出すことができる。
なお、多くの他の実施例を揚げたが、これらはそれぞれ組み合わせて使用しても良いこと勿論である。
【００１７】
【発明の効果】
以上述べたように本発明のパチンコ機における下部球受皿の球抜き装置は、皿部に貯留されるパチンコ球を利用してその内側からパチンコ球を球保持部へ落し込むようにしたので、従来の如く無用な力が加わって、球抜きの途中でパチンコ球が落ちシャッター板が戻るといったおそれは全くない。また、シャッター板はパチンコ球により皿部の底壁裏面側へ押圧して停止保持されるので、球抜き孔の開閉動作が片手でワンタッチ式にでき、操作し易いといった効果を有する。
【図面の簡単な説明】
【図１】本発明が適用されるパチンコ機の正面図。
【図２】下部球受皿の斜視図。
【図３】下部球受皿から球抜き装置を分解して示す斜視図。
【図４】下部球受皿の平面図。
【図５】図４のＸ−Ｘ線断面図。
【図６】作用を説明する要部の断面図。
【図７】図６（ａ）におけるＹ−Ｙ線矢視図。
【図８】他の実施例を示すシャッター板の斜視図。
【図９】同要部の断面図。
【図１０】他の実施例を示す支持枠を装着した要部の断面図。
【図１１】他の実施例を示すシャッター板を装着した要部の断面図。
【符号の説明】
９                下部球受皿
１１              皿部
１４              底壁
１５              球抜き孔
１６              支持枠
１８              シャッター板
２１              透孔
２３              球保持部
２５              落下口
【図１】
0003558671.tif 000002
【図２】
0003558671.tif 000003
【図３】
0003558671.tif 000004
【図４】
0003558671.tif 000005
【図５】
0003558671.tif 000006
【図７】
0003558671.tif 000007
【図６】
0003558671.tif 000008
【図８】
0003558671.tif 000009
【図９】
0003558671.tif 000010
【図１０】
0003558671.tif 000011
【図１１】
0003558671.tif 000012